(57)【要約】【課題】  本考案は、ゴルフクラブヘッドに装設する脱落し難く且つ震動を吸収できるゴルフクラブヘッドの荷重装置を提供する。【解決手段】  荷重装置２０は一つの固定部２１、一つのボルト２２と一つのチャックセット部２３で構成し、固定部２１は溶接或いは一体成形の方式でゴルフクラブヘッドの中に設置し、ボルト２２はチャックセット部２３を貫通してから、固定部２１にねじるようにして、不同な重量のボルト２２を選択し、荷重効果をもたらすことができる。【選択図】  図２
0003150388.tif 000002
【実用新案登録請求の範囲】
【請求項１】
ゴルフクラブヘッドの接合部に装設する荷重装置であって、
一つの固定部を設け、該固定部が該ゴルフクラブヘッド中の該接合部に固設され、且つ該固定部に内ネジ山を有し、
一つのチャックセット部を設け、該チャックセット部に一つの通部を有し、
一つのボルトを揃え、このボルトの第一端の表面に外ネジ山を有すると共に第二端の表面に一つの錐形部を有し、
該ボルトがチャックセット部に入れられて錐形部を該錐形の通部に応じさせてから、固定部の該内ネジ山にねじり鎖すことを特徴とするゴルフクラブヘッドの荷重装置。
【請求項２】
請求項１の前記荷重装置において、前記固定部を質が硬く且つ加工が容易な材質で製造することを特徴とするゴルフクラブヘッドの荷重装置。
【請求項３】
請求項２の前記荷重装置において、前記固定部を金属或は硬質の高分子材料で製造することを特徴とするゴルフクラブヘッドの荷重装置。
【請求項４】
請求項１の前記荷重装置において、前記ボルトを質が硬く且つ加工が容易な材質で製造することを特徴とするゴルフクラブヘッドの荷重装置。
【請求項５】
請求項４の前記荷重装置において、前記ボルトをタングステンのニッケル合金、銅合金、鉄基合金、アルミ合金、マグネシウム合金、チタン合金或はカーボン繊維で製造することを特徴とするゴルフクラブヘッドの荷重装置。
【請求項６】
請求項１の前記荷重装置において、前記チャックセット部を質の柔軟な材質で製造することを特徴とするゴルフクラブヘッドの荷重装置。
【請求項７】
請求項６の前記荷重装置において、前記チャックセット部をアルミ合金、マグネシウム合金、チタン合金、ケイ酸ゲル或は軟性高分子材料で製造することを特徴とするゴルフクラブヘッドの荷重装置。
【請求項８】
請求項１の前記荷重装置において、前記固定部を接合部に溶接することを特徴とするゴルフクラブヘッドの荷重装置。
【請求項９】
請求項１の前記荷重装置において、前記接合部が凹溝を有し、前記固定部を該凹溝の壁面に設置することを特徴とするゴルフクラブヘッドの荷重装置。
【請求項１０】
請求項９の前記荷重装置において、前記凹溝にベース端が更に含まれ、前記固定部の一つ側面が該ベース端に受け止められることを特徴とするゴルフクラブヘッドの荷重装置。
【請求項１１】
請求項１の前記荷重装置において、前記固定部を前記接合部に成型することを特徴とするゴルフクラブヘッドの荷重装置。
【考案の詳細な説明】
【技術分野】
【０００１】
本考案は、ゴルフクラブヘッドの荷重装置に関し、特にゴルフクラブヘッドに装設する脱落し難く且つ震動吸収、防水及び防塵ができる荷重装置に関するものである。
【背景技術】
【０００２】
ゴルファーがゴルフ等の運動を行うときに、個人毎に取るドライバーの姿勢、力の入れ方等の条件において各々差異があり、このため、ゴルフクラブヘッドを個人毎のドライバーのスウィングフォームに合ったものとして使用すべく、現在では、多くのゴルフ用品メーカーがゴルフクラブヘッドを設計する時に、選択付加できる荷重ボルトで重心を調整し、これによって、使用者は個人に最適なドライバーのスウィングフォームを発揮できる。
【０００３】
図１は、ゴルフクラブヘッドに装置する荷重ボルトの組立を示す説明図である。図中に示すゴルフクラブヘッド１０に係るベース部の所に開設する一つのボルト穴１１が有り、更にとりあわせた一つの荷重ボルト１２をボルト穴１１内に鎖し入れ、このように、不同な重量のボルト１２を選択してゴルフクラブヘッド１０に結合することで、ゴルフクラブヘッドの重心を調整することができ、使用者が個人の筋力の状況に応じて選択的に荷重することができるので、最適にも自己の状況に合ったクラブへと調整することができる。
【考案の概要】
【考案が解決しようとする課題】
【０００４】
習知のゴルフクラブヘッド１０のボルト穴１１とボルト１２の間に、ネジ山の間に隙間がまだ存在しているので、クラブでゴルフボールを打つ時に、そこで生じた強烈な震動によってボルト１２とボルト穴１１間の相互磨損を招き易く、ひいてはボルト１２がボルト穴１１から退出する可能性があり、もしネジ山の磨損によりボルト１２をゴルフクラブヘッド１０中に再度取り付けることができなくなると、ゴルフクラブヘッド１０が使えなくなって換えざるをえなくなるのと同じで、確かに不経済であり、この故に改良する必要がある。
【０００５】
上述の課題を鑑みて、本考案では、ゴルフクラブヘッドに装設する脱落し難く且つ震動を吸収できる荷重装置を提供する。
【課題を解決するための手段】
【０００６】
このようなことから、上述の目的を達成するため、本考案の荷重装置がゴルフクラブヘッドに装設され、その荷重装置が一つの固定部、一つのボルトと一つのチャックセット部で構成され、固定部は溶接或は一体成形等の方法でゴルフクラブヘッドの中に設置され、ボルトをチャックセット部に貫通してから、固定部にねじり鎖し、不同な重量のボルトを選択して、荷重効果をもたらすことができる。
【考案の効果】
【０００７】
本考案によれば、荷重装置はチャックセット部の設置によりゴルフクラブヘッドとボルトの間を完全に緊密にするので、水分或は砂塵等が入り込み難しくなり、また、質が比較的柔軟な材質を選択してチャックセット部を製造する場合は、ゴルフボールを打つ時の震動を吸収でき、その他、ボルト位置を限定できて、容易に振動によって退出することがなくなる。その他、ボルトを固定部にねじって栓鎖するように付ける時に受ける抵抗を低減することができ、従って比較的安定したねじり力で鎖し付けることができる。
【図面の簡単な説明】
【０００８】
【図１】習知のゴルフクラブヘッドに荷重ボルトを装設する組立の説明図である。
【図２】本考案の荷重装置における実施例の分解説明図である。
【図３】本考案の荷重装置における実施例の組合せの断面図である。
【図４】図３の立体外観図である。
【図５】本考案の荷重装置の固定部がゴルフクラブヘッドに接合される配置の実施例の断面図である。
【図６】本考案の荷重装置の固定部がゴルフクラブヘッドに成型される配置の実施例の断面図である。
【考案を実施するための形態】
【０００９】
以下は、関連図面を参照しながら本考案のゴルフクラブヘッドの荷重装置を説明する。
【００１０】
図２に示すのは、本考案の荷重装置における実施例の分解説明図であり、図３に示すのは、本考案の荷重装置における実施例の組合せ断面図と、図４に示すのは図３の立体外観図である。
【００１１】
本考案の荷重装置２０はゴルフクラブヘッドに装設でき、これが一つの固定部２１、一つのボルト２２と一つのチャックセット部２３で構成され、固定部２１はゴルフクラブヘッドの中に装設され、ボルト２２はチャックセット部２３を貫通してから、固定部２１にねじり鎖し、不同な重量のボルト２２を選択することで、荷重の効果をもたらすことができる。
【００１２】
固定部２１は、この例の中で略環状を呈し、且つ内ネジ山を配してあり、よって一端に具有する外ネジ山のボルト２２と一緒にねじり鎖すことができる。
【００１３】
図２において、チャックセット部２３に錐形の一つの通部２３１の具有を呈しているのを見出すことができ、ボルト２２においてねじり鎖す側とは異なる別の一端も錐形を呈し、このようにしてはじめてチャックセット部２３の通部２３１の締め付けに対応することができる。従って、組立する上で、ボルト２２が先にチャックセット部２３の通部２３１を貫通してから、固定部２１と一緒にねじり鎖し、また、図２に示すように、ボルト２２を固定部２１にねじり鎖して締め付ける時、チャックセット部２３がボルト２２に締め付けられて固定部２１に緊密に固定され得る。
【００１４】
この実施例の中に、固定部２１がボルト２２を鎖し付けるものとして提供できるためには、質の比較的硬い且つ加工が容易な材料を選択して製造する。使用する材料が例えば、金属或は硬質な高分子材料で製造し、且つ硬質な高分子材料にはアクリル、ベークライト或はほかの硬質のプラスチックを選択できる。
【００１５】
また、ボルト２２はスクリュータッピングする必要があるので、質が硬く且つ加工が容易な材料を選択して製造することができ、且つボルト２２は荷重における決定重量の根拠となるため、もし比較的軽い荷重を選んで実施する場合には、アルミ合金、チタン合金、カーボン繊維材料で製造することができ、もし、重い荷重を選んで実施する場合には、タングステンのニッケル合金、銅合金、鉄基合金材料で製造することができる。最後に、この実施例中のチャックセット２３は、質の比較的柔軟なものを選択して使用するのが最も良好であり、且つ震動を減少或は震動を吸収できる低比重の材質、例えばアルミ合金、マグネシウムの合金、チタン合金、ケイ酸ゲル或は軟性高分子材料等で製造してもよく、且つこの軟性高分子材料はナイロン、或は縮合アミンエステル、或は弾性を有するプラスチックでもよく、チャックセット部２３が軟性材質で製造され、ボルト２２上に套設されるので、ボルト２２に締め付けて位置限定の効果を提供でき、ボルト２２の緩みによる脱落を避けることができる。
【００１６】
図５は、本考案の荷重装置の固定部がゴルフクラブヘッドと接合する配置の実施例の断面図、及び図６は、本考案の荷重装置の固定部がゴルフクラブヘッドに成型される配置の実施例の断面図である。本実施例の中に、荷重装置２０の固定部２１がゴルフクラブヘッド３０の接合部３１の壁面３１１に固定され、その固定方式は溶接、嵌め合せ或はファスニング等の機械方式で実施する。また、ゴルフクラブヘッドがボールを打つ時に生じた反作用力は固定部２１の接合に良くない影響をもたらさないようにするため、その接合部３１が一つのベース端３１２を有するように成型され、固定部２１がそのベース端３１２に受止められ、形成は作用をもたらし、ベース端３１２を利用して大部分の応力を吸収することができ、且つ、チャックセット部２３をボルト２２に入れてから、ボルト２２を固定部２１のボルト穴にねじって固定して、荷重装置２０を形成する（図５に示す）。
【００１７】
図６に示す実施例の中に、荷重装置２０の固定部２１’が直接ゴルフクラブヘッド３０の接合部３１’に成型され、チャックセット部２３をボルト２２に入れてから、ボルト２２を固定部２１’のボルト穴にねじって固定して、荷重装置を形成する（図６に示す）。
【００１８】
上述したように、本考案では、チャックセット部の設置によりゴルフクラブヘッドとボルトの間が完全に緊密になるので、水分或は砂塵が入り込み難くなり、また、チャックセット部に質の柔軟な材質を選択して使用すると、ボールを打つ時に振動を吸収でき、且つ、錐形の通部がボルト位置を限定するので、振動されてもボルトが退出し難くなり、また、ボルトを固定部に鎖し付ける時に受ける抵抗を低減することができ、故に、これを採用することで、比較的安定したねじり力で鎖し付けることができる。
【００１９】
上述の実施例は、説明用であり、本考案の特許請求範囲に限定されるだけではなく、本考案の範囲は以下の特許請求の範囲に限定される。本考案請求範囲に基づいて作成した同等な変化と修飾のすべてが、本考案の範囲内に属する。
【符号の説明】
【００２０】
１０    ゴルフクラブヘッド
１１    ボルト穴
１２    ボルト
２０    荷重装置
２１、２１’  固定部
２２    ボルト
２２１    錐形部
２３    チャックセット部
２３１    通部
３０    ゴルフクラブヘッド
３１、３１’  接合部
３１１  壁面
３１２  ベース端
【図１】
0003150388.tif 000003
【図２】
0003150388.tif 000004
【図３】
0003150388.tif 000005
【図４】
0003150388.tif 000006
【図５】
0003150388.tif 000007
【図６】
0003150388.tif 000008